(57)【要約】【課題】複雑な電波状況であっても、正確にその状況を把握し、適切な周波数帯域制御によって、常に最適で最良の受信品質維持が可能な帯域制御機能を備えたＦＭチューナを提供する。【解決手段】ＩＦフィルタ、リミッタアンプ、電界強度検器、ＦＭ検波器、検波レベル検出器、隣接妨害検出器、変調度検出手段を含む隣接妨害判定ユニットを複数（ｎ個）備え、その各ＩＦフィルタの帯域幅を異ならせ、これらの検出結果に基づいて最も適したユニットの帯域幅のフィルタを選択する。【選択図】図１
2008085395.tif 000002
【特許請求の範囲】
【請求項１】
通過帯域幅を所要範囲で可変可能な第一の帯域制限フィルタ手段と、その帯域制限フィルタ手段の出力信号を飽和増幅するＦＭ増幅手段と、該ＦＭ増幅手段の出力信号を検波するＦＭ検波手段とを備えたＦＭチューナにおいて、
更に、通過帯域を制限する帯域制限フィルタ手段と、その出力を飽和増幅するＦＭ増幅手段と、該ＦＭ増幅手段からの信号に基づき受信電界強度を検出する電界強度検出手段と、前記ＦＭ増幅手段の出力信号を検波するＦＭ検波手段と、該ＦＭ検波手段に接続された、検波出力信号レベルを検出する検波レベル検出手段、隣接妨害波を検出する隣接妨害検出手段、受信信号の変調度を検出する変調度検出手段の三者のうち少なくとも一つを含む隣接妨害判定ユニットと、をｎ個（ｎは正の整数）備える帯域制御ブロックと、
各隣接妨害判定ユニットの電界強度検出手段の検出結果及び、検波レベル検出手段、隣接妨害検出手段、変調度検出手段夫々の少なくとも一つの検出結果に基づいて、前記第一の帯域制限フィルタ手段の通過帯域幅を決定し制御する帯域フィルタ制御手段を備え、
前記各隣接妨害判定ユニットに含まれるｎ個の帯域制限フィルタ手段の通過帯域幅を所要範囲内で互いに異なるように設定したことを特徴とする帯域制御機能を備えたＦＭチューナ。
【請求項２】
通過帯域を制限する帯域制限フィルタ手段と、その出力を飽和増幅するＦＭ増幅手段と、該ＦＭ増幅手段からの信号に基づき受信電界強度を検出する電界強度検出手段と、前記ＦＭ増幅手段の出力信号を検波するＦＭ検波手段と、該ＦＭ検波手段に接続された、検波出力信号レベルを検出する検波レベル検出手段、隣接妨害波を検出する隣接妨害検出手段、受信信号の変調度を検出する変調度検出手段の三者のうちの少なくとも一つを含む隣接妨害判定ユニットをｎ個（ｎは正の整数）備える帯域制御ブロックと、
前記ｎ個の隣接妨害判定ユニットのうちから最適な通過帯域幅を有する隣接妨害判定ユニットを選択するユニット選択手段と、該選択された隣接妨害判定ユニットのＦＭ検波手段の出力信号を次段に導く出力セレクタ手段とを備え、前記各隣接妨害判定ユニットに含まれるｎ個の帯域制限フィルタ手段の通過帯域を所要の範囲内で互いに異なるように設定したことを特徴とする帯域制御機能を備えたＦＭチューナ。
【請求項３】
前記帯域フィルタ制御手段又は前記ユニット選択手段が、電界強度検出手段の検出結果と、検波レベル検出手段、隣接妨害検出手段、変調度検出手段の少なくとも一つの検出結果とに基づいて、それらの最小値、最大値、最小値と最大値との差、検出値のピーク値、ピーク値と最小値との差分、通過帯域幅の値が隣り合うユニット同士の差分、またはこれらの値と予め設定した閾値との比較、あるいは夫々の値の組み合わせの少なくとも一つに基づいて、隣接妨害波の有無又は隣接妨害波の強度の判定を行うことを特徴とする請求項１または２記載の帯域制御機能を備えたＦＭチューナ。
【請求項４】
前記帯域フィルタ制御手段によって、前記第一の帯域制限フィルタの通過帯域幅を制御する場合、又は、前記ユニット選択手段によって異なるユニットを選択して出力を切替える場合、夫々所要の時定数を設定し、又は、その時定数を制御可能に構成したとことを特徴とする請求項１乃至３の何れか一項記載の帯域制御機能を備えたＦＭチューナ。
【請求項５】
請求項１乃至４の何れか一項記載のＦＭチューナの構成要素の少なくとも一部が、デジタル処理され、ＤＳＰによって実現されていることを特徴とする帯域制御機能を備えたＦＭチューナ。
【発明の詳細な説明】
【技術分野】
【０００１】
本発明はＦＭチューナに関し、詳細には、隣接妨害波の有無を正確に検出して、適切に周波数帯域幅の制御を行う帯域制御機能を備えたＦＭチューナに関する。
【背景技術】
【０００２】
広い周波数帯域を使用したＦＭ放送が、高品質の音楽を提供するメディアとして広く利用されている。ＦＭ放送のチャネル配置は、例えば２００ＫＨｚのスペースを設けて設定され、変調スペクトルは１５０ＫＨｚの幅を有しており、隣接する地域では極力近い周波数チャネル配置とならないように考慮されている。しかし、近年多数の放送局が設けられるようになり、特に都市部近郊等においては、必ずしも十分な間隔をおいたチャネル配置が可能ではない。また、カーオーディオ等のように移動しながら聴取する場合は、目的とするチャネル周波数信号（以下、希望波と云う）と妨害波となる近接チャネル信号（以下、隣接妨害波と云う）のレベル変動が共に大きく、場所によって希望波より隣接妨害波レベルの方が大きくなる場合がある。
このような隣接妨害波が存在すると、広い周波数帯域にわたって雑音が混入するので、発生する雑音レベルが増大し、極めて聞き苦しいものとなる。そこで従来からＦＭチューナでは、希望波と隣接妨害波のレベルを監視し、隣接妨害波レベルが大きい場合は、受信周波数帯域幅を狭くし隣接妨害波成分を排除して音声品質を維持する機能を備えている。
【０００３】
図６は特許文献１に開示された周波数帯域幅制御機能を備えた従来のＦＭチューナの要部構成を示すブロック図であり、この例に示すＦＭチューナは、ＦＭ変調方式の受信機に通常用いられるスーパヘテロダイン方式を採用したもので、図示を省略した受信高周波ブロックにおいて局部発振信号と混合して生成された中間周波数（Intermediate Frequency：ＩＦ）信号から、帯域幅制御可能なＩＦフィルタ６１によって所要周波数信号のみを選択し、それをＩＦリミッタアンプ６２によって十分に増幅する。リミッタアンプは、入力信号を増幅器の飽和領域まで増幅する大きな増幅度を有し、その出力波形はピーク領域がクリップされた矩形波になる。ＦＭ変調信号は、その周波数変化に情報が含まれているので信号波形の振幅変化はクリップされても伝達すべき情報は失われない。ＩＦリミッタアンプ６２で十分に増幅された信号は、ＦＭ検波器６３において、その周波数変化に応じた信号（オーディオ信号）に変換され、ＦＭ検波出力として、図示を省略したオーディオアンプ等に供給される。
ＦＭ変調方式は、このようなリミッタアンプを使用することによって、混入する低レベルの雑音信号を十分に抑圧する効果があるので、ＡＭ変調方式等の振幅変調方式に比べて、高いＳ／Ｎの復調信号を得ることができる。
【０００４】
しかし、逆に、隣接妨害波レベルの方が希望波より大きくなると、希望波が抑圧される結果、著しく受信品質が劣化する。そこで、この例に示すように、リミッタアンプ６２から受信信号に比例する信号を取り出してそのレベルを検出する電界検出器６４と、その検出結果に基づいて弱電界状態であることを検出する弱電界検出器６５と、ＦＭ検波器６３の出力から隣接妨害波の存在とレベルを検出する隣接妨害検出器６６及び変調度を検出する変調度検出器６７とを備え、それらの検出信号をコントローラ６８において監視し、その結果に基づいてＩＦフィルタ６１の通過帯域幅を制御して、隣接妨害波の影響による雑音信号を排除するように構成している。なお、ＦＭ検波器６３の出力から隣接妨害波を検出する方法は、例えば特許文献１の図２に示されているように、ＦＭ検波器の復調信号から、高域隣接チャネルの復調信号成分のみを抽出する第一のフィルタと、同様に低域隣接チャネルの復調信号成分のみを抽出する第二のフィルタとを備え、夫々の信号成分レベルと希望チャネル復調信号成分との大小関係に基づいて、隣接妨害波の有無とレベルを検出する方法がある。ＦＭ検波器６３は、ＦＭ放送の変調度に応じて、広い周波数帯域に対応できるように設計されているので、高域、低域の隣接妨害波に対して、夫々のチャネル周波数間隔分離れた復調信号成分が検波されるので、これらを分離抽出することが可能である。これらの信号処理は、近年進歩したデジタル信号処理手段、例えばＤＳＰ（Digital Signal Processor）等によれば、所望の選択度をもったフィルタ機能が容易に得られる。
【０００５】
このように、隣接妨害波のレベルを所定の値と比較することによって妨害波周波数の接近度合いを検出する隣接妨害検出器と、ＦＭ検波器の出力から希望波の音声レベルから変調度を検出する変調度検出器と、更に、弱電界検出器を備え、弱電界時にはＩＦフィルタの帯域を広くするように制御し、隣接妨害波の存在とレベル検出が正確に行われるようにすることによって、弱電界時においても隣接妨害波レベルが小さい場合は、広い帯域で受信することによって高品質の復調ができるように制御することができる。なお、同様の手段に関して特許文献２にも開示されているので参照可能である。
【特許文献１】特開２００４−３１２０７７公報
【特許文献２】特開２００４−７２５７６公報
【発明の開示】
【発明が解決しようとする課題】
【０００６】
しかしながら、述した周波数帯域幅制御機能を備えた従来のＦＭチューナでは、弱電界時において隣接妨害波レベルが小さい場合は、広い帯域で高品質の復調を行うことができるが、いくつかの欠点を備えたものであった。
即ち、変調度検出器は希望波の変調度が高い場合に大きな値を出力するが、隣接妨害波の影響を受けている場合には希望波の変調度が低い場合であっても大きな値を出力することがあり、好ましくない方向への制御がなされることがあった。一般的な変調度検出の原理は、ＦＭ検出器が中心周波数から大きく偏移した周波数に対して大きなレベルの出力を発生することを利用して、そのレベルが大きいほど周波数偏移、即ち、変調度が大きいと判断する。従って、隣接妨害波が存在する状況では、妨害波の離調周波数に応じて大きな出力が発生することになり、変調度に対する誤った判定がなされ、それに基づいて隣接妨害波が存在するにも拘わらず、ＩＦフィルタの帯域を広くする周波数帯域制御が行われ、受信品質を劣化させることがあった。
【０００７】
また更に、隣接妨害検出器では、隣接妨害波のレベルに応じて大きな値を出力するが、希望波の変調度がある程度大きい状況では、隣接妨害波の影響を受けていない場合であっても大きな値を出力することがあり、この点に関しても好ましくない方向への制御がなされることがあった。即ち、既に説明したように、隣接妨害検出器は、ＦＭ検波出力から高域、低域夫々の帯域成分を抽出するフィルタによって隣接妨害波成分を検出するので、隣接妨害波が存在しない場合であっても、希望波の変調度が大きくなるとその成分がフィルタリングされれば誤った判断がなされ、それに基づいてＩＦフィルタ帯域を狭い方向に制限することになり、広帯域で受信可能な状況において低品質の受信を行う虞があった。
本発明は、上述したように従来のＦＭチューナに関する問題を解決するためになされたものであって、各種複雑な電波状況であっても、正確にその状況を把握し、適切な周波数帯域制御によって、常に最適且つ最良の品質の受信が可能な帯域制御機能を備えたＦＭチューナを提供することを目的としている。
【課題を解決するための手段】
【０００８】
本発明はかかる課題を解決するために、請求項１記載の帯域制御機能を備えたＦＭチューナは、通過帯域幅を所要範囲で可変可能な第一の帯域制限フィルタ手段と、その帯域制限フィルタ手段の出力信号を飽和増幅するＦＭ増幅手段と、該ＦＭ増幅手段の出力信号を検波するＦＭ検波手段とを備えたＦＭチューナにおいて、更に、通過帯域を制限する帯域制限フィルタ手段と、その出力を飽和増幅するＦＭ増幅手段と、該ＦＭ増幅手段からの信号に基づき受信電界強度を検出する電界強度検出手段と、前記ＦＭ増幅手段の出力信号を検波するＦＭ検波手段と、該ＦＭ検波手段に接続された、検波出力信号レベルを検出する検波レベル検出手段、隣接妨害波を検出する隣接妨害検出手段、受信信号の変調度を検出する変調度検出手段の三者のうち少なくとも一つを含む隣接妨害判定ユニットをｎ個（ｎは正の整数）備える帯域制御ブロックと、各隣接妨害判定ユニットの電界強度検出手段の検出結果及び、検波レベル検出手段、隣接妨害検出手段、変調度検出手段夫々の少なくとも一つの検出結果に基づいて、前記第一の帯域制限フィルタ手段の通過帯域幅を決定し制御する帯域フィルタ制御手段を備え、前記各隣接妨害判定ユニットに含まれるｎ個の帯域制限フィルタ手段の通過帯域幅を所要範囲内で互いに異なるように設定したことを特徴とする。
【０００９】
請求項２記載の帯域制御機能を備えたＦＭチューナは、通過帯域を制限する帯域制限フィルタ手段と、その出力を飽和増幅するＦＭ増幅手段と、該ＦＭ増幅手段からの信号に基づき受信電界強度を検出する電界強度検出手段と、前記ＦＭ増幅手段の出力信号を検波するＦＭ検波手段と、該ＦＭ検波手段に接続された、検波出力信号レベルを検出する検波レベル検出手段、隣接妨害波を検出する隣接妨害検出手段、受信信号の変調度を検出する変調度検出手段の三者のうちの少なくとも一つを含む隣接妨害判定ユニットをｎ個（ｎは正の整数）備える帯域制御ブロックと、前記ｎ個の隣接妨害判定ユニットのうちから最適な通過帯域幅を有する隣接妨害判定ユニットを選択するユニット選択手段と、該選択された隣接妨害判定ユニットのＦＭ検波手段の出力信号を次段に導く出力セレクタ手段とを備え、前記各隣接妨害判定ユニットに含まれるｎ個の帯域制限フィルタ手段の通過帯域を所要の範囲内で互いに異なるように設定したことを特徴とする。
【００１０】
請求項３記載の発明は、請求項１または２記載の帯域制御機能を備えたＦＭチューナにおいて、前記帯域フィルタ制御手段又は前記ユニット選択手段が、電界強度検出手段の検出結果と、検波レベル検出手段、隣接妨害検出手段、変調度検出手段の少なくとも一つの検出結果とに基づいて、それらの最小値、最大値、最小値と最大値との差、検出値のピーク値、ピーク値と最小値との差分、通過帯域幅の値が隣り合うユニット同士の差分、またはこれらの値と予め設定した閾値との比較、あるいは夫々の値の組み合わせの少なくとも一つに基づいて、隣接妨害波の有無又は隣接妨害波の強度の判定を行うことを特徴とする。
【００１１】
請求項４記載の発明は、請求項１乃至３の何れか一項記載の帯域制御機能を備えたＦＭチューナにおいて、上記帯域フィルタ制御手段によって、前記第一の帯域制限フィルタの通過帯域を制御する場合、又は、前記ユニット選択手段によって異なるユニットを選択して出力を切替える場合、夫々所要の時定数を設定し、又は、その時定数を制御可能に構成したとことを特徴とする。
【００１２】
請求項５記載の発明は、請求項１乃至４の何れか一項記載の帯域制御機能を備えたＦＭチューナにおいて、その構成要素の少なくとも一部が、デジタル処理され、ＤＳＰによって実現されていることを特徴としている。
【発明の効果】
【００１３】
本発明は上述したように構成するので、夫々以下のような効果が得られる。即ち、請求項１記載の発明では、通過帯域幅を所要範囲で可変可能な第一の帯域制限フィルタ手段と、リミッター増幅器等のＦＭ増幅手段と、ＦＭ検波手段とを備えたＦＭチューナにおいて、帯域制限フィルタ手段と、ＦＭ増幅手段と、電界強度検出手段と、ＦＭ検波手段と、このＦＭ検波手段に接続された、検波レベル検出手段、隣接妨害検出手段、変調度検出手段を含む隣接妨害判定ユニットをｎ個（ｎは正の整数）備える帯域制御ブロックと、それらの各検出手段の検出結果のいくつかに基づいて、上記第一の帯域制限フィルタ手段の通過帯域幅を決定制御し、上記各隣接妨害波判定ユニットに含まれるｎ個の帯域制限フィルタ手段の通過帯域幅を所要範囲内で互いに異なるように設定したので、各隣接妨害判定ユニットは、狭いものから広いものまで互いに異なる複数（ｎ個）の通過帯域をもったＦＭチューナを備えたものとなる。従って、その時々の隣接妨害波レベルに適した通過帯域となる隣接妨害判定ユニットが、そのなかのいずれであるかを判断することによって、常に、上記第一の帯域フィルタを最適の通過帯域に設定し、受信音質の向上を図ることが可能となる。
【００１４】
請求項２記載の発明に係る帯域制御機能を備えたＦＭチューナは、請求項１記載のＦＭチューナにおいて、第一の通過帯域フィルタとＦＭ増幅手段とＦＭ検波手段とを除去し、代わりに、上述したｎ個の隣接妨害波判定ユニットの各隣接妨害波判定ユニットの電界強度検出手段、検波レベル検出手段、隣接妨害検出手段、変調度検出手段のいくつかの検出結果に基づいて、上記ｎ個の隣接妨害波判定ユニットのうちから最適な通過帯域幅を有する隣接妨害判定ユニットを選択し、選択された隣接妨害判定ユニットのＦＭ検波手段の出力信号を次段に導くように構成したので、全体の構成を簡素化して、同様に受信音質の向上を図ることが可能となる。
【００１５】
請求項３記載の発明は請求項１または２記載の帯域制御機能を備えたＦＭチューナにおいて、上記帯域フィルタ制御手段又は前記ユニット選択手段が、検波レベル検出手段、隣接検出手段、変調度検出手段の検出結果に基づいて、それらの最小値、最大値、最小値と最大値との差、検出値のピーク値、ピーク値と最小値との差分、通過帯域幅の値が隣り合うユニット同士の差分、またはこれらの値と予め設定した閾値との比較、あるいは夫々の値の組み合わせに基づいて、隣接妨害波の有無又は隣接妨害波の強度の判定を行うように構成したので、その時々の受信信号の状況に応じて、隣接妨害電波や希望信号の変調度の状況を正確に把握することが可能となり、より一層適切な通過帯域幅の設定が可能となり、受信音質を保つことができる。
【００１６】
請求項４記載の発明は、請求項１乃至３の何れか一項記載の帯域制御機能を備えたＦＭチューナにおいて、上記帯域フィルタ制御手段によって、上記第一の帯域制限フィルタの通過帯域を制御する場合、又は、前記ユニット選択手段によって異なるユニットを選択して出力を切替える場合、夫々所要の時定数を設定し、又は、その時定数を制御可能に構成したので、短い周期で変動する受信状況においても安定した受信音質を維持することが可能となる。
【００１７】
請求項５記載の発明は、請求項１乃至４の何れか一項記載の帯域制御機能を備えたＦＭチューナにおいて、その構成要素の少なくとも一部が、デジタル処理され、ＤＳＰによって実現されるので、ソフトウエア技術を駆使して複雑な制御を行う装置を簡単なハード構成によって実現可能である。
【発明を実施するための最良の形態】
【００１８】
以下、本発明を図示した実施態様例を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明に係るＦＭチューナの一実施態様例を示す要部ブロック図である。この例に示すＦＭチューナは、通過帯域幅を所要範囲で可変可能な第一のＩＦフィルタ（帯域制限フィルタ手段）１と、そのＩＦフィルタの出力信号を飽和増幅するリミッタアンプ（ＦＭ増幅手段）２と、そのＦＭ信号を検波するＦＭ検波器（ＦＭ検波手段）３とを含むＦＭチューナ部４と、更に、上記第一のＩＦフィルタ１の通過帯域の適切な帯域幅を判断決定する帯域制御ブロック部５と、その制御信号に基づいて第一のＩＦフィルタの通過帯域幅を制御する帯域フィルタ制御部（帯域制御手段）６とを備えたものである。
【００１９】
また、帯域制御ブロック部５は、ｎ個（ｎは正の整数）の隣接妨害判定ユニット７-１乃至７-ｎを備えている。各隣接妨害判定ユニットはｎ個ともほぼ同様の構成で、隣接妨害判定ユニット７-１について説明すれば、通過帯域を制限するＩＦフィルタ（帯域制限フィルタ手段）１０-１と、その出力を飽和増幅するＩＦアンプ（ＦＭ増幅手段）１１-１と、ＦＭ信号を検波するＦＭ検波器１２-１と、ＩＦアンプからの信号に基づき受信電界強度を検出する電界強度検出器１３-１と、ＦＭ検波器１２-１に接続された、ＦＭ検波出力信号のレベルを検出する検波レベル検出器１４-１、隣接妨害波を検出する隣接妨害検出器１５-１、受信信号の変調度を検出する変調度検出器１６-１を備えている。これらｎ個の隣接妨害判定ユニットの各ＩＦフィルタ１０-１乃至１０-ｎの通過帯域幅は、ＩＦフィルタ１０-１が一番狭く、１０-２、・・・・、１０-ｎになるに従って、帯域幅が広くなるように、所要範囲内において順次設定されている。そして、各隣接妨害判定ユニットの電界強度検出器１３、検波レベル検出器１４、隣接妨害検出器１５、変調度検出器１６夫々の検出結果に基づいて第一のＩＦフィルタ１の通過帯域幅の適正な値を判断し、帯域フィルタ制御部（コントローラ部）６ではその判断に従って第一のＩＦフィルタ１の通過帯域幅を制御する。
即ち、図１に示すブロック構成は、ＦＭチューナの一部を示すもので、図示を省略した受信高周波部において、アンテナ等を介して供給されたＦＭ受信信号を所要レベルまで増幅した後、ローカル発振信号と混合して両者の和と差の信号を発生し、通過帯域幅を所要範囲で可変可能な第一のＩＦフィルタ１と、帯域制御ブロック部５の各隣接妨害判定ユニット７-１乃至７-ｎに供給する。
【００２０】
夫々のＩＦフィルタは、周知のとおり、例えば混合信号の中から両者の差の周波数のＩＦ信号（中間周波信号＝４５０ＫＨｚ）から、所要の帯域幅（特許文献１に倣えば、３０ＫＨｚ乃至２００ＫＨｚ）で取り出し、これをＩＦアンプ１１-１（乃至１１-ｎ）において飽和増幅する。飽和増幅（器）は一般にリッミタアンプとも称され、増幅器の飽和領域まで十分な増幅度を備えたもので、ＩＦ信号波形が矩形波として出力される。ＦＭ変調方式ではこの飽和増幅の作用によって、信号に含まれる弱小の雑音成分は十分に抑圧されるので高品質の音声出力が得られることは既に説明したとおりである。
この回路の特徴の一つは、ｎ個の隣接妨害判定ユニットの各ＩＦフィルタ１０-１乃至１０-ｎの通過帯域幅が、ＩＦフィルタ１０-１が一番狭く、１０-２、・・・・、１０-ｎになるに従って、帯域幅が広くなるように、所要範囲内、例えば、３０ＫＨｚから２００ＫＨｚの範囲において、順次所要の帯域に設定されていることである。従って、各隣接妨害判定ユニットにおける、電界強度検出器１３による電界強度検出レベル、検波レベル検出器１４による検波出力レベル、隣接妨害検出器１５による隣接妨害波レベル、変調度検出器１６による変調度レベル夫々の値が異なった値となる。
【００２１】
図２は、各隣接妨害判定ユニットにおいて得られる検出レベルの一覧表である。即ち、ｎ個の隣接妨害判定ユニットの各ＩＦフィルタ１０-１乃至１０-ｎ（ＩＦフィルタ＃１乃至ＩＦフィルタ＃ｎ）夫々の通過帯域幅に応じて、検波出力レベルＤｅｔ_１乃至Ｄｅｔ_ｎ、隣接妨害波レベルＡｄｊ_１乃至Ａｄｊ_ｎ、変調度検出レベルＤｅｖ_１乃至Ｄｅｖ_ｎ、電界強度検出レベルＦｓ_１乃至Ｆｓ_ｎが得られる。
【００２２】
そこで、これらの各検出結果を帯域フィルタ制御部（コントローラ部）６において監視し、どの値の通過帯域幅を有する隣接妨害判定ユニットからの検出結果が最適であるかを判断する。ＩＦフィルタの帯域幅の違いによって、受信品質がどのように影響を受けるかは、多くの公知資料があるので詳細な説明は省略するが、隣接妨害波の有無、及びそのレベル、更には、希望波の受信電界強度及び変調度によって、種々受信品質が変化することは既に説明したとおりである。本発明によれば、ＦＭチューナとして必要な主要機能を備え、且つ、そのＩＦフィルタの通過帯域幅が互いに異なるように設定したｎ個の隣接妨害判定ユニット７-１乃至７-ｎによって、常時、受信信号の電界強度検出レベル監視と復調信号に基づく各種検出レベルを監視して、互いに比較し、或いは、予め設定した閾値と比較することによって、どの値の通過帯域幅のＩＦフィルタが適切であるかを判断するので、従来のように、ある帯域幅に設定したとき、隣接妨害波の影響の度合いが変化し、その結果、制御系において検出される各レベルが変動すると云う、必然的に発生する制御の不安定さが解消され、常に、正確な妨害波レベル並びに希望波レベルの把握が行われる。従って、その時々の妨害波の状態、希望波の状況に対応した正確なＩＦフィルタの通過帯域幅の制御が可能となる。
【００２３】
また、各種の検出結果に基づいて、それらの最小値、最大値、最小値と最大値との差、検出値のピーク値、ピーク値と最小値との差分、通過帯域幅の値が隣り合うユニット同士の差分、またはこれらの値と予め設定した閾値との比較、あるいは夫々の値の組み合わせに基づいて、隣接妨害波の有無又は隣接妨害波の強度の判定を行うように構成することもできる。より細かく、その時々の受信信号の状況に応じて、隣接妨害電波や希望信号の変調度の状況を正確に把握すれば、より一層適切な通過帯域幅の設定が可能となり、受信音質を高く維持することができる。
【００２４】
なお、これらの検出結果は全てを利用しなければならない訳ではなく、それらのなかからいくつかを利用すればよい。また、各検出結果に基づいて、他の検出値を補正し、その補正値によって更に他の検出結果を補正することによって最終的にＩＦフィルタの帯域を制御することも可能である。図３はその場合の、制御系の一例を示すもので、（ａ）は検波出力レベルＤｅｔ_ｘ（ｘは１乃至ｎのうちの一つ）の補正値Ｄｅｔ_ｘ’を生成する場合の例で、電界強度検出レベルＦｓ_ｘをそのときの検波出力レベルＤｅｔ_ｘに基づく計数で補正し、その値で検波出力レベルＤｅｔ_ｘを補正して補正値Ｄｅｔ_ｘ’を生成する。また同様に、（ｂ）は隣接（妨害波）検出レベルＡｄｊ_ｘの補正値Ａｄｊ_ｘ’を生成する例で、電界強度検出レベルＦｓ_ｘをそのときの隣接妨害波検出レベルＡｄｊ_ｘに基づく係数で補正し、その値でＡｄｊ_ｘを補正して補正値Ａｄｊ_ｘ’を生成する。（ｃ）は変調度検出レベルＤｅｖ_ｘの補正値Ｄｅｖ_ｘ’を生成する例で、電界強度検出レベルＦｓ_ｘをそのときの変調度検出レベルＤｅｖ_ｘに基づく係数で補正し、その値でＤｅｖ_ｘを補正して補正値Ｄｅｖ_ｘ’を生成する。なお、上述したように、各検出値の補正や組み合わせはこれらの例に限らず、種々のものがあり得る。
【００２５】
図４は、得られた各種の検出結果に基づいて、ＩＦフィルタの通過帯域を判断決定する場合の一例を示すフローチャートである。この例に示す制御では、処理がスタート（ＳＴＡＲＴ）すると、先ず、上述したように検波検出レベル、隣接妨害波レベル、変調度検出レベル、電界強度検出レベルの夫々の検出を行い（Ｓ１）、例えば図２、図３によって説明した各検出レベルの補正を経て（Ｓ２）、隣接妨害の程度を判断する（Ｓ３）。この判断において、隣接妨害波の影響があると判断された場合は（Ｓ３  Ｙｅｓ）、それがどの程度であるかを判断して、例えば三段階レベルの評価判断を行う。
【００２６】
その一つは、検波出力レベルＤｅｔの最大値が、通過帯域が最も広いＩＦフィルタを備える隣接妨害判定ユニット７-ｎの検波レベル検出器１４-ｎの出力Ｄｅｔ_ｎ以外に唯一存在する、「通常の妨害」レベルの場合である（Ｓ４）。二つめは、検波出力レベルＤｅｔの最大値がＤｅｔ_ｎに存在し、且つ、ＤｅｔのピークがＤｅｔ_ｎ以外にも存在する「特大の妨害」を受ける場合である（Ｓ５）。三つ目は、検波出力レベルＤｅｔの最大値がＤｅｔ_ｎに存在し、且つ、Ｄｅｔ_ｎが唯一Ｄｅｔのピークである「極大の妨害」の場合である（Ｓ６）。夫々の電波状態に対応して、上記判断Ｓ３において隣接妨害波なし（Ｓ３  Ｎｏ）と判断した場合、及び「通常の妨害」と判断した場合は（Ｓ４）、検波検出レベルと変調度検出レベルが共に最大となるＩＦフィルタの通過帯域を選択する（Ｓ７）。また、「特大の妨害」と判断したときは（Ｓ５）、Ｄｅｔ_ｎ以外のもので検波出力レベルと変調度検出レベルの一方か又は両者がピークとなるＩＦフィルタ帯域を最適なものとして選択する（Ｓ８）。更に、隣接妨害の程度が大きくなって「極大の妨害」の場合は、検波出力レベルと変調度検出レベルの一方か又は両者が最小値となるＩＦフィルタ帯域を最適なものとして選択する（Ｓ９）。このようにして選択されたその時々の最適なＩＦフィルタ帯域情報に基づいて、帯域フィルタ制御部６によって、第一のＩＦフィルタの通過帯域幅を制御する（Ｓ１０）。なお、評価の方法や、帯域幅の制御はこれらの例に限らず、種々のものがあり得るので、適宜、設定することができる。
【００２７】
このように夫々幅の値が異なる複数の通過帯域幅をもったＩＦフィルタを含む回路によって、実際のＦＭ受信と検波の結果をモニタし、そのなかから最適なものを選択するように構成すれば、従来の方法のように、ある受信状態において帯域制限制御をした結果、それに伴って受信状態を判断する信号モニタ系統の通過帯域が変化することがなく、常に安定にしかも正確に受信状況を把握し判断することができるので、受信復調音質を常に最も好ましい状況に維持することが可能となる。
【００２８】
図５は、本発明の他の実施態様例を示すブロック図である。この例が上述した図１の実施例と異なるところは、第一の通過帯域フィルタ１と、ＩＦアンプ２とＦＭ検波器３とからなるＦＭチューナ部４を除去し、上述したｎ個の隣接妨害判定ユニット７-１乃至７-ｎと、各隣接妨害判定ユニットの電界強度検出手段、検波レベル検出手段、隣接妨害検出手段、変調度検出手段の夫々の検出結果に基づいて、上記ｎ個の隣接妨害判定ユニットのうちから最適な通過帯域幅を有する隣接妨害判定ユニットを選択するユニット選択部７と、この選択された隣接妨害判定ユニットのＦＭ検波手段の出力信号を装置の次段に導く出力セレクタ部８を備えた点である。即ち、図１に示した構成では、ＦＭチューナの第一のＩＦフィルタ１とＩＦアンプ２とＦＭ検波器３は、ｎ個の各隣接妨害判定ユニット夫々に含まれているので、それらの中から最適の通過帯域を有する隣接妨害判定ユニットのＦＭ検波器出力を用いても不都合はない。この構成によれば、第一の可変通過帯域型のＩＦフィルタ、ＩＦアンプ、ＦＭ検波器が不要となる分、全体の構成と制御を簡素化して、図１の実施例と同様に受信音質の向上を図ることが可能となる。
【００２９】
なお、従来のＦＭチューナに見られるように、頻繁に変動する受信電界状態に過剰に反応して帯域を切替えると、かえって雑音等が増加する場合があるので、本発明においてＩＦ通過帯域を切替える際に、ある程度の時定数を持たせて制御することも、雑音を低減し安定した受信を行う上で有用である。従って、帯域フィルタ制御手段によって、第一の帯域制限フィルタの通過帯域を制御する場合、又は、又はユニット選択手段７によって異なるユニットを選択して出力を切替える場合、夫々所要の時定数を設定し、又は、その時定数を制御可能に構成してもよい。
更には、上述した本発明に係るＦＭチューナの構成要素の全体又は一部を、デジタル処理し、ＤＳＰによって実現することもできる。特に近年、無線通信機を始めとして、電子装置の多くはデジタル化されており、何等かの制御用にＣＰＵやＤＳＰを備えることが多いので、以上説明した本発明の構成要素の殆どはデジタル処理化が可能であり、それらをソフトウエア化すれば、より一層簡単なハードウエア構成で複雑な判断や制御が可能であり、本発明の実現に有用であろう。
【００３０】
また、以上の実施例では、ｎ個の隣接妨害判定ユニットを備えたが、これらの処理をデジタル処理し、一系統のユニット機能を時系列的に順次帯域幅を切替えながら各検出レベルを得るように制御すれば、極めてコンパクトに本発明を実現することが可能となる。
更に、各隣接妨害判定ユニットのＩＦフィルタ通過帯域として、中心周波数が異なるものを所要周波数帯域に複数配列するもの、或いは更に、それらの帯域幅が異なるものを配列する等、種々変形が可能であろう。また、各検出信号の組み合わせも以上説明した以外に種々のものが考えられるので、適宜組み合わせて制御することができる。
また、上述した本発明の構成や制御の処理をプログラム化し、あらかじめＣＤ−ＲＯＭ等の記録媒体に書き込んでおき、コンピュータに搭載したＣＤ−ＲＯＭドライブのような媒体駆動装置に、このＣＤ−ＲＯＭ等を装着して、これらのプログラムをコンピュータのメモリあるいは記憶装置に格納し実行することによって、本発明の目的が達成されるように構成することも可能である。
【図面の簡単な説明】
【００３１】
【図１】本発明の帯域制御機能を備えたＦＭチューナの一実施態様例を示すブロック図である。
【図２】本発明の実施態様例の動作を説明するための各検出信号の一覧図である。
【図３】本発明の実施態様例の動作を説明するための検出信号補正例を示す信号処理図であり、（ａ）は検波出力レベルの補正例を示す図、（ｂ）は隣接妨害波レベルの補正例を示す図、（ｃ）は変調度検出レベルの補正例を示す図である。
【図４】本発明の実施態様例における処理例を示すフローチャートである。
【図５】本発明の他の実施態様例を示すブロック図である。
【図６】従来の帯域制御機能を備えたＦＭチューナの一例を示すブロック図である。
【符号の説明】
【００３２】
１、１０-１〜１０-ｎ  ＩＦフィルタ、２、１０-１〜１０-ｎ  ＩＦアンプ（飽和増幅器、リッミタアンプ）、３、１２-１〜１２-ｎ  ＦＭ検波器、４  ＦＭチューナ部、５  帯域制御ブロック部、６  帯域フィルタ制御部（コントローラ部）、７  ユニット選択部、８  出力セレクタ部、１４−１〜１４-ｎ  検波レベル検出器、１５-１〜１５-ｎ  隣接妨害検出器、１６-１〜１６-ｎ  変調度検出器、１７-１〜１７-ｎ  電界強度検出器。
【図１】
2008085395.tif 000003
【図２】
2008085395.tif 000004
【図３】
2008085395.tif 000005
【図４】
2008085395.tif 000006
【図５】
2008085395.tif 000007
【図６】
2008085395.tif 000008